(57)【要約】【課題】排泄可能な折り畳み式車椅子を提供する。【解決手段】本考案の排泄可能な折り畳み式車椅子は、折り畳み可能な車椅子のフレーム２０と、座シート５０の底面及び車椅子のフレーム２０の上に設置されると共に車椅子のフレーム２０を連動させて収納または展開させるための折り畳み可能な支持装置４０とを備える。また、洗浄装置６０により臀部の洗浄が行われ、拭き取り装置８０により臀部が拭かれ、患者が車椅子に乗り降りせずとも自分で排泄及び洗浄を行えるようになる。患者にとっては尊厳が守られる上に利便性も高く、且つ看護社や家族にとっては負担が軽減されるという人間本位の設計がなされた車椅子である。【選択図】図１２Ｂ
0003215892.tif 000002
【実用新案登録請求の範囲】
【請求項１】
後端に２つの手押しハンドルを有し、両側に肘掛け部をそれぞれ有する折り畳み可能な車椅子のフレームと、
前記車椅子のフレームに枢着され、交差するように枢着される複数の折り畳みフレームを有し、前記車椅子のフレームが安定的に展開されて定位及び折り畳みが行われる折り畳みユニットと、
前記車椅子のフレームの間に連結され、中間部には人体の臀部に対応する位置に排出口が設けられる折り畳み可能な座シートと、
前記車椅子のフレームの背もたれ棒に装設される折り畳み可能な背もたれマットと、
前記車椅子のフレームの外側にそれぞれ枢設される２つの駆動輪と、
前記車椅子のフレームの前端下方にそれぞれ枢着される２つのキャスターと、
を備える排泄可能な折り畳み式車椅子であって、
前記座シートの排出口は開口部が前を向いたＵ字型体を呈し、且つ前記座シートには前記Ｕ字型体の後側の中央線の位置に分割用スロットが形成され、前記座シートには左右対称で前記分割用スロットを基準とする『逆Ｖ』字型を呈する隆起形状が形成され、また、前記排出口の形状に適合するクッション本体は分離可能な状態で前記排出口内に設置され、前記座シートは平坦状を呈すると共に排泄時に取り外され、折り畳み可能な支持装置と、排泄物受容器と、洗浄装置と、拭き取り装置とを含み、
前記折り畳み可能な支持装置は、前記座シートの底面及び前記車椅子のフレームの上に設置され、ａ）２本の左右の側ポールとｂ）２本の前面折り棒及び後面折り棒をさらに含み、
ａ）前記２本の左右の側ポールは、２本のポールが前記車椅子のフレームに平行状に設置され、前記車椅子のフレームには前記左右の側ポールに対する位置にホルダーが設置されて前記左右の側ポールを跨設させるために用いられ、且つ前記左右の側ポールは前記折り畳みフレームの上端に結合されると共にこれと連動し、
ｂ）前記２本の前面折り棒及び後面折り棒は、前記２本の左右の側ポールに垂直になり、且つ前記２本の左右の側ポールの前端及び後端にそれぞれ外嵌され、前記前面折り棒及び後面折り棒は第一ポール及び第二ポールが相互に枢着されることで構成され、且つ前記第一ポール及び前記第二ポールの内側で対向して対応し合う枢着端には前後に貫通させる中空ピボットが形成され、前記第一ポール及び第二ポールの外側端はケーシングにそれぞれ連結され、前記ケーシングは前記２本の左右の側ポールにそれぞれ外嵌されると共に枢動可能状態を呈し、前記２本の前面折り棒及び後面折り棒は枢着端を軸心とする『逆Ｖ』字型の隆起形状を呈し、且つ前記第一ポール及び前記第二ポールの底面には対向して対応し合う１つの滑溝がそれぞれ設置され、
前記排泄物受容器は、その両側は前記滑溝に対する位置にフランジ部が形成されると共に前から後に向けて前記滑溝に嵌入され、前記座シートの排出口の下方に位置され、排泄物を受け取るために使用され、
前記洗浄装置は、前記車椅子のフレームの側辺に設置され、前記座シートの底下方の前記後面折り棒の中空ピボットに設置され、且つ前記排出口に向けられるスプレーヘッド及び前記車椅子のフレームに分離可能に掛着され、上方にはプレスヘッドが設置される貯水ボトルを含み、前記貯水ボトルの排水口には水管を連結させるためのジョイントが設けられ、前記水管の他端は前記スプレーヘッドに連結され、前記プレスヘッドが下に押圧されると前記貯水ボトルの水が前記スプレーヘッドに送られ、
前記拭き取り装置は、グリップ部と、前記グリップ部から前に向けて延伸される上部ポールと、前記上部ポールの前端に設置されるクリップ部と、前記グリップ部から前に向けて延伸されると共に前記上部ポールの底部に平行に位置される下部ポールとを含み、前記下部ポールの自由端は前記前面折り棒の枢着端の中空ピボットに貫入され、前記上部ポール及び前記クリップ部が前記支持装置の上に位置されると共に前記排出口中で前記中空ピボットを線形移動する前記下部ポールをガイド軸として前後に移動させ、且つ前記クリップ部によりトイレットペーパーが挟持されて使用者の臀部を拭くために使用されることを特徴とする排泄可能な折り畳み式車椅子。
【請求項２】
前記肘掛け部は前に向けて湾曲される弧状ロッドとストッパー部と、を備え、
前記前に向けて湾曲される弧状ロッドは、前記弧状ロッドの後端はピボットボルトにより前記背もたれ棒の両側に枢着され、前端には第一結合パイプが形成され、第二結合パイプは前記車椅子のフレームの両側に設置されると共に前記弧状ロッドの第一結合パイプに対応し、且つ前記第二結合パイプには回転可能なロックリングが設置され、前記第一結合パイプが前記第二結合パイプに設置されると前記回転可能なロックリングにより前記第一結合パイプ及び前記第二結合パイプがロックされ、
前記ストッパー部は前記背もたれ棒の両側に設置されると共に前記ピボットボルトの上方に位置され、前記回転可能なロックリングが弛緩されて前記肘掛け部の後端が前記ピボットボルトを軸心として後に向けて起き上げられると前記ストッパー部が停止することを特徴とする請求項１に記載の排泄可能な折り畳み式車椅子。
【請求項３】
前記ジョイントは、末端が前記排水口に接合され、前端の中心部が延伸されて接続管が形成され、側辺にはＬ字型係合部材が設置される接合用ケーシングと、管体には前記接続管のＬ字型係合部材に対応させるように凸部が設けられる接合管とを備え、
前記接合管に前記接続管が装入されると、前記接合管が回転を行うことにより前記凸部が前記Ｌ字型係合部材内に嵌入されて高速に連結され、且つ前記接合管の前端からは接合ヘッドが延伸され、前記水管を連結させるために用いられることを特徴とする請求項１に記載の排泄可能な折り畳み式車椅子。
【請求項４】
前記車椅子のフレームの側辺に設置される吊り棒を更に備え、
前記吊り棒には少なくとも１つのフック及びラックが設置されることを特徴とする請求項１に記載の排泄可能な折り畳み式車椅子。
【考案の詳細な説明】
【技術分野】
【０００１】
本考案は排泄可能な折り畳み式車椅子に関する。
【背景技術】
【０００２】
図１は従来の車椅子１０を示す外観斜視図である。携帯性及び収納空間を考慮し、この種の折り畳み式車椅子１０の多くは、対称を呈する２つのフレーム１１の間にＸ字型を呈する折り畳みフレーム１２が枢着されている。且つ各フレーム１２の両側には駆動輪１３がそれぞれ設置され、フレーム１１の前方の底部にはキャスター１４が設置され、２つのフレーム１１の間には座シート１５が水平に設置されている。フレーム１１の後上方には背もたれ棒１６が設置され、背もたれ棒１６の上端にはグリップ１７が装設され、２つの背もたれ棒１６の間には背もたれマット１８が覆設されている。車椅子が長距離運送されるか収納される場合、車椅子の折り畳みフレームの折り畳み構造が利用されて、２つのフレームの間の距離が縮小されて車椅子全体の体積が小さくなり、運送し易くなる。
【先行技術文献】
【特許文献】
【０００３】
【特許文献１】台湾実用新案第３８２１２２号公報
【特許文献２】台湾実用新案第３８８９３２号公報
【考案の概要】
【考案が解決しようとする課題】
【０００４】
しかしながら、前述した従来の車椅子では、身体が不自由な者が用を足す場合、車椅子１０をトイレまで押して行かねば、用を足すことができなかった。さらに、患者の両脚が不自由な場合、看護婦や家族が抱え上げてトイレの上に座らせねばならず、家族や患者にとっては非常に困難であった。
【０００５】
特許文献１に記載されている排泄可能な折り畳み式車椅子１０Ａ（図２Ａ及び図２Ｂ参照）の上記の従来の車椅子１０との差異は、車椅子のフレーム１２０が２本の可動ポール１２１に装設され、車椅子のフレーム１２０の上方には座シート１３０が装設され、下方には排泄物受容器１４０が装設され、これによって使用者が車椅子１０Ａ上で用を足せるようになる点である。
然しながら、このような構造設計では、使用者が車椅子１０Ａの上で直接用を足すことはできるが、但し、座シート１３０がプラスチックで成形されており、且つ排泄穴１３１を有するため、車椅子１０Ａを折り畳む際には座シート１３０及び排泄物受容器１４０を取り外さねばならず、使用上不便であった。さらに、座シート１３０の排泄穴１３１は固定された開口ではあるため、使用者が車椅子１０Ａの上で用を足すのではなく、図１に示すような一般的な車椅子１０として使用する場合、不便で実用的ではなかった。
このような従来技術としては、例えば、特許文献２に記載されている「便座機能を有する組み合わせ車椅子の構造」などが参照される。
【０００６】
さらに、従来の車椅子１０Ａの両側の肘掛け１５０は共に固定されているため、持ち上げることができない。このため、患者が病床と車椅子との間を移動（車椅子に乗り降り）するのが極めて不便であった。また、従来の承排泄物受容器または便器機能が付加される車椅子では車椅子に座ったままの状態で臀部を拭くことができず、患者が身体を持ち上げなければ臀部を拭けないため、患者が自分で排泄を処理できなかった。上述したように、従来の排泄物受容器或いは排泄物受容器機能が付加される車椅子はどれも、取り外し及び装設が不便であるという問題点が存在し、このため改善の余地がある。
【０００７】
そこで、本考案者は上記の欠点が改善可能と考え、鋭意検討を重ねた結果、合理的設計で上記の課題を効果的に改善する本考案の提案に到った。
【０００８】
かかる従来の実情に鑑みて、本考案は、排泄可能な折り畳み式車椅子を提供することを目的とする。すなわち、身体が不自由な者が車椅子上で直接用を足すことができ、且つ平時では一般的な車椅子として使用でき、折り畳み可能で車で運搬するのが便利になる。
【０００９】
また、本考案の他の目的は、患者の身体を持ち上げずとも臀部を拭くことができ、患者が車椅子に座った状態で臀部を拭けるため、患者が自分で排泄を処理可能にする機能を有する。
【００１０】
さらに、本考案のさらなる他の目的は、肘掛け部が後に向けて起き上がるようになっているため、患者が車椅子に乗り降りしやすくなる。
【課題を解決するための手段】
【００１１】
上述した課題を解決し、目的を達成するために、本考案に係る排泄可能な折り畳み式車椅子は、
後端に２つの手押しハンドルを有し、両側に肘掛け部をそれぞれ有する折り畳み可能な車椅子のフレームと、
車椅子のフレームに枢着され、交差するように枢着される複数の折り畳みフレームを有し、車椅子のフレームが安定的に展開されて定位及び折り畳みが行われる折り畳みユニットと、
車椅子のフレームの間に連結され、中間部には人体の臀部に対応する位置に排出口が設けられる折り畳み可能な座シートと、
車椅子のフレームの背もたれ棒に装設される折り畳み可能な背もたれマットと、
車椅子のフレームの外側にそれぞれ枢設される２つの駆動輪と、
車椅子のフレームの前端下方にそれぞれ枢着される２つのキャスターと、を備える。
【００１２】
座シートの排出口は開口部が前を向いたＵ字型体を呈し、且つ座シートにはＵ字型体の後側の中央線の位置に分割用スロットが形成され、座シートには左右対称で分割用スロットを基準とする『逆Ｖ』字型を呈する隆起形状が形成される。また、排出口の形状に適合するクッション本体は分離可能な状態で排出口内に設置される。座シートは平坦状を呈すると共に排泄時に取り外され、折り畳み可能な支持装置と、排泄物受容器と、洗浄装置と、拭き取り装置とを含む。
【００１３】
折り畳み可能な支持装置は、座シートの底面及び車椅子のフレームの上に設置され、ａ）２本の左右の側ポールとｂ）２本の前面折り棒及び後面折り棒をさらに含む。
ａ）２本の左右の側ポールは、２本のポールが車椅子のフレームに平行状に設置され、車椅子のフレームには左右の側ポールに対する位置にホルダーが設置されて左右の側ポールを跨設させるために用いられる。且つ左右の側ポールは折り畳みフレームの上端に結合されると共にこれと連動する。
【００１４】
ｂ）２本の前面折り棒及び後面折り棒は、２本の左右の側ポールに垂直になり、且つ２本の左右の側ポールの前端及び後端にそれぞれ外嵌され、前面折り棒及び後面折り棒は第一ポール及び第二ポールが相互に枢着されることで構成される。且つ第一ポール及び第二ポールの内側で対向して対応し合う枢着端には前後に貫通させる中空ピボットが形成され、第一ポール及び第二ポールの外側端はケーシングにそれぞれ連結される。ケーシングは２本の左右の側ポールにそれぞれ外嵌されると共に枢動可能状態を呈する。２本の前面折り棒及び後面折り棒は枢着端を軸心とする『逆Ｖ』字型の隆起形状を呈し、且つ第一ポール及び第二ポールの底面には対向して対応し合う１つの滑溝がそれぞれ設置される。
【００１５】
排泄物受容器は、その両側は滑溝に対する位置にフランジ部が形成されると共に前から後に向けて滑溝に嵌入され、座シートの排出口の下方に位置され、排泄物を受け取るために使用される。
【００１６】
洗浄装置は、車椅子のフレームの側辺に設置され、座シートの底下方の後面折り棒の中空ピボットに設置され、且つ排出口に向けられるスプレーヘッド及び車椅子のフレームに分離可能に掛着され、上方にはプレスヘッドが設置される貯水ボトルを含む。貯水ボトルの排水口には水管を連結させるためのジョイントが設けられる。水管の他端はスプレーヘッドに連結され、プレスヘッドが下に押圧されると貯水ボトルの水がスプレーヘッドに送られる。
【００１７】
拭き取り装置は、グリップ部と、グリップ部から前に向けて延伸される上部ポールと、上部ポールの前端に設置されるクリップ部と、グリップ部から前に向けて延伸されると共に上部ポールの底部に平行に位置される下部ポールとを含む。下部ポールの自由端は前面折り棒の枢着端の中空ピボットに貫入され、上部ポール及びクリップ部が支持装置の上に位置されると共に排出口中で中空ピボットを線形移動する下部ポールをガイド軸として前後に移動させる。且つクリップ部によりトイレットペーパーが挟持されて使用者の臀部を拭くために使用される。
【００１８】
上記の技術手段により、本考案は、平時には一般的な車椅子と同じようになり、折り畳み可能であり、車で運搬できる。使用者が用を足す場合、車椅子の上で直接操作し、排泄装置を開くことで用を足せるようになる。さらに、洗浄装置により使用者の臀部が洗浄されるため、患者が車椅子から下りたり座ったりする必要がなく、自力で排泄及び洗浄を行える。患者の尊厳が守られる上に利便性も向上し、且つ看護婦や家族にとっても負担が軽減される、人に優しい設計の車椅子である。
【図面の簡単な説明】
【００１９】
【図１】従来の車椅子を示す斜視図である。
【図２Ａ】従来の排泄可能な折り畳み式車椅子を示す分解斜視図である。
【図２Ｂ】従来の排泄可能な折り畳み式車椅子を示す斜視図である。
【図３Ａ】本考案の一実施形態による、排泄可能な折り畳み式車椅子を示す分解斜視図である。
【図３Ｂ】図３Ａに示す主な構成を示す拡大図である。
【図４】本考案の一実施形態による、排泄可能な折り畳み式車椅子の排泄物受容器が分離された状態を示す斜視図である。
【図５】本考案の一実施形態による、排泄可能な折り畳み式車椅子の排泄物受容器が排出口の下端に接合された状態を示す斜視図である。
【図６】本考案の一実施形態による、排泄可能な折り畳み式車椅子のクッション本体が排出口内に接合された状態を示す斜視図である。
【図７】本考案の一実施形態による、排泄可能な折り畳み式車椅子のクッション本体が排出口から取り出され、車椅子枠に吊り掛けられた状態を示す斜視図である。
【図８】本考案の一実施形態による、排泄可能な折り畳み式車椅子を示す平面図である。
【図９】図８に示す主な構成のスプレーヘッドと中空ピボットが接合された状態を示す拡大図である。
【図１０】本考案による洗浄装置の一部の部材を示す斜視図である。
【図１１】図１０に示すジョイントを示す分解斜視図である。
【図１２Ａ】本考案による、拭き取り装置を示す斜視図である。
【図１２Ｂ】本考案による、拭き取り装置が排泄可能な折り畳み式車椅子に組立状態を示す図である。
【図１２Ｃ】本考案による、拭き取り装置の使用状態を示す図である。
【図１３】本考案による、肘掛け部が持ち上げられた状態を示す図である。
【図１４】本考案による排泄可能な折り畳み式車椅子が折り畳まれた状態を示す斜視図である。
【考案を実施するための形態】
【００２０】
以下、図面を参照して本考案に係る排泄可能な折り畳み式車椅子の実施形態について説明する。尚、以下に説明する実施の形態は、実用新案登録請求の範囲に記載された本考案の内容を限定するものではない。また、以下に説明される構成の全てが、本考案の必須要件であるとは限らない。
【００２１】
（一実施形態）
まず、図３〜１４を参照しながら、本考案をさらに詳しく説明する。本考案の排泄可能な折り畳み式車椅子９０は、好ましい実施態様として、後端に２つの手押しハンドル２１を有し、両側に肘掛け部２２をそれぞれ有する折り畳み可能な車椅子のフレーム２０と、車椅子のフレーム２０に枢着され、交差するように枢着される複数の折り畳みフレーム３１を有し、枢軸３２（図３Ｂ参照）により車椅子のフレーム２０が安定的に展開されて定位及び折り畳みが行われる折り畳みユニット３０と、車椅子のフレーム２０の間に連結され、中間部には人体の臀部に対応する位置に排出口５１設けられる折り畳み可能な座シート５０と、車椅子のフレーム２０の背もたれ棒２３に装設される折り畳み可能な背もたれマット２３１と、車椅子のフレーム２０の外側にそれぞれ枢設される２つの駆動輪２４と、車椅子のフレーム２０の前端下方にそれぞれ枢着される２つのキャスター２５とを備える。但し、上記の構成は車椅子の先行技術（prior art）に属するものであり、本考案の目的ではないため詳述しない。
【００２２】
以下に、本考案の主な特徴を詳しく説明する。座シート５０の排出口５１は開口部が前を向いたＵ字型体を呈し、且つ座シート５０にはＵ字型体の後側の中央線の位置に分割用スロット５２が形成され、座シート５０には左右対称で分割用スロット５２を基準とする『逆Ｖ』字型を呈する隆起形状が形成される。また、排出口５１の形状に適合するクッション本体５３は分離可能な状態で排出口５１内に設置され、座シート５０が平坦状を呈すると共に排泄時に取り外される。本実施形態では、座シート５０の底部には強度を高めるための底部フレーム５４が設置される（図３Ａ参照）。
【００２３】
図３Ｂは図３Ａに示す主な構成の拡大傾斜図である。折り畳み可能な支持装置４０は座シート５０の底面及び車椅子のフレーム２０に設置され、２本の左右の側ポール４５及び２本の前面折り棒４０Ｆ並びに後面折り棒４０Ｒを備える。
２本の左右の側ポール４５は、２本のポールが車椅子のフレームに平行状に設置され、車椅子のフレーム２０には左右の側ポール４５に対する位置にホルダー２０１が設置されて左右の側ポール４５を跨設させるために用いられ、且つ左右の側ポール４５は折り畳みフレーム３１の上端に結合されると共にこれと連動する。
【００２４】
２本の前面折り棒４０Ｆ及び後面折り棒４０Ｒは、２本の左右の側ポール４５に垂直になり、且つ２本の左右の側ポール４５の前端及び後端にそれぞれ外嵌される。前面折り棒４０Ｆ及び後面折り棒４０Ｒは第一ポール４１及び第二ポール４２が相互に枢着されることで構成され、且つ第一ポール４１及び第二ポール４２の内側で対向して対応し合う枢着端には前後に貫通させる中空ピボット４３が形成される。なお、第一ポール４１及び第二ポール４２の外側端はケーシング４４にそれぞれ連結され、ケーシング４４は２本の左右の側ポール４５にそれぞれ外嵌されると共に枢動可能状態を呈する。２本の前面折り棒４０Ｆ及び後面折り棒４０Ｒは枢着端を軸心とする『逆Ｖ』字型隆起形状を呈し、且つ第一ポール４１及び第二ポール４２の底面には対向して対応し合う滑溝４１１及び４２１がそれぞれ設けられる。
【００２５】
続いて、排泄物受容器７０の両側は滑溝４１１及び４２１に対する位置にフランジ部７１が形成されると共に前から後に向けて滑溝４１１及び４２１に嵌入され、座シート５０の排出口５１の下方に位置され、排泄物を受け取るために使用される。
【００２６】
続いて、洗浄装置６０は車椅子のフレーム２０の側辺に設置され（図４参照）、スプレーヘッド６５及び貯水ボトル６１を備える。スプレーヘッド６５は座シート５０の底下方の後面折り棒４４Ｒの中空ピボット４３に設置され、且つ排出口５１に向けられる。後面折り棒４４Ｒの中空ピボット４３は前面折り棒４４Ｆの中空ピボット４３と同様にスプレーヘッド６５を装設させるために設置される（図８及び図９参照）。
貯水ボトル６１は車椅子のフレーム２０に分離可能に掛着され、上方にはプレスヘッド６２が設置される。貯水ボトル６１の排水口６１１には水管６４を連結させるためのジョイント６３が設置される。水管６４の他端はスプレーヘッド６５の接合端６５２に連結され、プレスヘッド６２が押圧されると、空気圧により貯水ボトル６１の水がスプレーヘッド６５に送られる（このようなプレスヘッド６２から噴水される構造及び原理は従来の接着剤容器に存在し、本考案の目的にあらず、よって詳述しない）。スプレーヘッド６５には複数の噴水孔６５１が設置され、患者の臀部を洗い流すために使用される。
本実施形態では、貯水ボトル６１は車椅子のフレーム２０の側辺のプレート部２８に設置され、水管６４は座シート５０の底下方（分割用スロット５２）を巻回させ、座シート５０の後側を経由してスプレーヘッド６５に連結される（図８及び図９参照）。
【００２７】
図１０は本考案の洗浄装置６０の部分傾斜図であり、図１１は図１０に示すジョイントの分解傾斜図である。本実施形態では、貯水ボトル６１の排水口６１１に設けられるジョイント６３は、末端が排水口６１１に接合され、前端の中心部が延伸されて接続管６３２が形成され、側辺にはＬ字型係合部材６３３が設置される接合用ケーシング６３１と、管体には接続管６３２のＬ字型係合部材６３３に対応させるように凸部６３５が設けられる接合管６３４とを備える。
接合管６３４に接続管６３２が装入されると、接合管６３４が回転を行うことにより凸部６３５がＬ字型係合部材６３３内に嵌入されて高速に連結され、且つ接合管６３４の前端からは接合ヘッド６３６が延伸され、水管６４を連結させるために用いられる。
【００２８】
次に、拭き取り装置８０は、グリップ部８１と、グリップ部８１から前に向けて延伸される上部ポール８２と、上部ポール８２の前端に設置されるクリップ部８３と、グリップ部８１から前に向けて延伸されると共に上部ポール８２の底部に平行に位置される下部ポール８４とを備える。下部ポール８４の自由端は前面折り棒４０Ｆの枢着端の中空ピボット４３に貫入され、上部ポール８２及びクリップ部８３が支持装置４０の上に位置されると共に排出口５１中で中空ピボット４３を線形移動する下部ポール８４をガイド軸として前後に移動させる（図１２Ａ及び図１２Ｂ参照）。これにより、図１２Ｃに示されるように、拭き取り装置８０はクリップ部８３によりトイレットペーパー８５が挟持され、前後に移動させることにより使用者の臀部が拭かれる。
【００２９】
図１３に示されるように、本実施形態では、肘掛け部２２は前に向けて湾曲される弧状ロッド２２１を備え、弧状ロッド２２１の後端はピボットボルト２２により背もたれ棒２３の両側に枢着され、前端には第一結合パイプ２２３が形成される。第二結合パイプ２２４は車椅子のフレーム２０の両側に設置されると共に弧状ロッド２２１の第一結合パイプ２２３に対応し、且つ第二結合パイプ２２４には回転可能なロックリング２２５が設置される。第一結合パイプ２２３が第二結合パイプ２２４に設置されると、回転可能なロックリング２２５により第一結合パイプ２２３及び第二結合パイプ２２４がロックされる。ストッパー部２７は背もたれ棒２３の両側に設置されると共にピボットボルト２２２の上方に位置され、回転可能なロックリング２２５が弛緩されて肘掛け部２２の後端がピボットボルト２２２を軸心として後に向けて起き上げられるとストッパー部２７が停止する。本考案は肘掛け部２２が後に向けて起き上がるように設計されることにより、患者が車椅子に乗り降りしやすくなる。
【００３０】
本実施形態では、車椅子のフレーム２０の側辺に設置される吊り棒２６を更に備え、吊り棒２６には少なくとも１つのフック２６１及びラック２６２が設置される。図３Ａ、図７及び図８に示されるように、吊り棒２６にはクッション本体５３の背部の掛合フック５３１が吊り掛けられる。フック２６１には拭き取り装置８０が吊り掛けられる。ラック２６２にはタオルや患者の衣類が吊り掛けられる（図示せず）。
【００３１】
また、本考案は図１４に示されるように、折り畳まれて収納される状態になると車に乗せて運搬しやすくなる。
【００３２】
本考案の折り畳み可能な支持装置４０は座シート５０の底面及び車椅子のフレーム２０の上に設置され、且つ車椅子のフレーム２０が連動されて収納または展開される。即ち、本考案は車椅子の正常な機能に影響を与えずに、従来の車椅子に融合される構造設計により、平時には一般的な車椅子として使用可能になり、外出時に車に載せる場合、図１４に示されるように折り畳まれて収納されるため車で運搬しやすくなる。また、使用者が排泄する場合、車椅子９０上で直接操作し、クッション本体５３を開けば排泄が可能である。また、洗浄装置６０により臀部の洗浄が行え、拭き取り装置８０により臀部を拭けるため、患者が車椅子に乗り降りせずとも自分で排泄及び洗浄を行えるようになる。患者にとっては尊厳が守られる上に便利であり、且つ看護者や家族にとっても負担が軽減されるという人間本位の設計がなされた車椅子である。
【００３３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３４】
２０  車椅子のフレーム
２０１  ホルダー
２１  手押しハンドル
２２  肘掛け部
２２１  弧状ロッド
２２２  ピボットボルト
２２３  第一結合パイプ
２２４  第二結合パイプ
２２５  回転可能なロックリング
２３  背もたれ棒
２３１  背もたれマット
２４  駆動輪
２５  キャスター
２６  吊り棒
２６１  フック
２６２  ラック
２７  ストッパー部
２８  プレート部
３０  折り畳みユニット
３１  折り畳みフレーム
３２  枢軸
４０  支持装置
４０Ｆ  前面折り棒
４０Ｒ  後面折り棒
４１  第一ポール
４１１  滑溝
４２  第二ポール
４２１  滑溝
４３  中空ピボット
４４  ケーシング
４５  左右の側ポール
５０  座シート
５１  排出口
５２  分割用スロット
５３  クッション本体
５４  底部フレーム
６０  洗浄装置
６１  貯水ボトル
６１１  排水口
６２  プレスヘッド
６３  ジョイント
６３１  接合用ケーシング
６３２  接続管
６３３  Ｌ字型係合部材
６３４  接合管
６３５  凸部
６３６  接合ヘッド
６４  水管
６５  スプレーヘッド
６５１  噴水孔
６５２  接合端
７０  排泄物受容器
７１  フランジ部
８０  拭き取り装置
８１  グリップ部
８２  上部ポール
８３  クリップ部
８４  下部ポール
８５  トイレットペーパー
９０  排泄可能な折り畳み式車椅子
【図１】
0003215892.tif 000003
【図２Ａ】
0003215892.tif 000004
【図２Ｂ】
0003215892.tif 000005
【図３Ａ】
0003215892.tif 000006
【図３Ｂ】
0003215892.tif 000007
【図４】
0003215892.tif 000008
【図５】
0003215892.tif 000009
【図６】
0003215892.tif 000010
【図７】
0003215892.tif 000011
【図８】
0003215892.tif 000012
【図９】
0003215892.tif 000013
【図１０】
0003215892.tif 000014
【図１１】
0003215892.tif 000015
【図１２Ａ】
0003215892.tif 000016
【図１２Ｂ】
0003215892.tif 000017
【図１２Ｃ】
0003215892.tif 000018
【図１３】
0003215892.tif 000019
【図１４】
0003215892.tif 000020